(57)【要約】      （修正有）【課題】簡単な構成でベッド上の被・要介護者を、ベッド上から車椅子上へ容易に移し変えることが出来、介護人の労力を低減することのできる車椅子を提供する。【解決手段】台車ベースフレーム１１の上面に、該分割寝台フレーム２１・２２・２３・２４を設け、ベッド上の被・要介護者を横臥せにし前記分割寝台フレームを当てがい、前記被・要介護者を仰向けにした状態にする。頭側背部フレーム２２・２３頭部フレーム２４をガスダンパー１４で上体のみを起こし両側の手摺り３ａ・３ｂを取付けその体勢で前記車椅子をベッド上から外し足掛フレーム２５をガスダンパー１５でゆっくり足を下げ車椅子状態となる。尚且つ前記被・要介護者の体位方向が左側・右側でも該分割寝台フレームは対称側に組替えすることにより受け取りが出来、又、移動が容易で保管スペースも少なくてすむ。【選択図】図１
2005237516.tif 000002
【特許請求の範囲】
【請求項１】
背部、座部、脚部を備え、分割された寝台フレームで、右側の背部を左側に、同右側の、フレームの一部を脚部に組替えができ、被・要介護者がベッド上で頭側右向き左向きでも受け入れが可能である。前記各分割寝台フレームを備え、折畳み可能な車椅子であって、被・要介護者に該分割寝台フレームの背部、座部、脚部、を当てがい、ベッド上で、被・要介護者の頭側背部のみを起こした状態にして、ベッド上から前記車椅子を外しながら脚部を下げ移動可能になる。又、車椅子上でも排便行為が出来るように構成し、これを特徴としている車椅子。
【発明の詳細な説明】
【技術分野】
【０００１】
本発明の車椅子は、老人・病人・身体に障害等を持つ人が、ベッド上からの乗り降りを楽に行え、トイレ等もできる。又、介護人への負担を低減し、不使用時には、コンパクトに折畳んで保管できる車椅子。
【背景技術】
【０００２】
従来の介護用車椅子には、可変型ベッド、図９（例えば、特許文献１参照。）又、介護用キャリア、図１０（例えば、特許文献２参照。）など、ベッド本体に切れ込みを持ち、車椅子を合体させる方式の介護用車椅子。又は、介護人が要介護者をベッドから移動させる為、ベッド本体のリクライニングを利用し体を起こす方法などがある。
【０００３】
【特許文献１】特開2001−314455
【特許文献２】特開2002−136549
【発明の開示】
【発明が解決しようとする課題】
【０００４】
上記述べた従来技術での、ベッドへの合体方式の介護用車椅子では、被・要介護者をベッド上で二度、三度と移動させる為、患者に不安感を抱かせ介護人への労力負担が大きく、又、従来技術での電動型リフトを用いた介護車などは、装置全体が大掛かりで全体の操作が複雑なため幅広い利用度が少ないのではないかと思われる。ましてや在宅介護等には受け入れがたい。
【０００５】
本発明は、上記ような従来の構成の問題を解決しようとするものであり、被・要介護者を、ベッド上から移動時に不安感等あたえず楽に、車椅子へ移す事を提供し、目的とするものである。
【０００６】
この改善策として、介護用に提供するこの車椅子は各分割寝台フレームをベッド上に入れ、被・要介護者を、前記各分割寝台フレーム上へ容易に受け入れる事が出来、被・要介護者に不安感を与えることなく、前記車椅子への移動が容易に済み、介護人への労力も低減され、介護人一人でも出来、これらの特徴を備えた車椅子。
【課題を解決するための手段】
【０００７】
上記目的を達成するために、ベッド上で被・要介護者に各分割寝台フレームを当てがい、頭側背部フレームをガスダンパーによって上位のみ起こす、このベッド上で起こす行為は安全性を得るためである。その体勢でベッド上から車椅子を外し、脚部を前記ガスダンパーでゆっくり下げる。患者に不安感もなく容易に車椅子に乗せて移動可能となる。又、座部のマットを排便用に取替える事により、被・要介護者は、該車椅子上でも排便用具を、図８のように据えつけてトイレも出来る。又、駆動用の電源を必要としない利点を持った車椅子。
【０００８】
又、第２の課題解決手段は、前記被・要介護者の体位方向がベッド上で頭側左向き、頭側右向きでも、各分割寝台フレームの背部と脚部が着脱式なので、対称側に組替え交換が可能で、しかも前記被・要介護者の体位をベッド上で動かすことなく容易に受け入れが出来るこれらの特徴を有する上記記載の車椅子。
【発明の効果】
【０００９】
上述ように、本発明の介護用の車椅子はベッド本体の昇降を利用し、被・要介護者の体全体を介護人が抱き抱えることなく、ベッド上の前記被・要介護者を横臥せから・仰向きにするのみで、ベッド上から容易に車椅子へ移し変えることが出来、介護人の労力を低減することである。
【００１０】
昨今では、ベッド本体の昇降機能型が普及し、又は、簡易型の便器を使用する方法がある。この車椅子にも、図８のように排便用具がセット出来、わざわざトイレまで行かなくても排便行為が楽に行え、狭い場所や在宅介護等では、更に介護人の労力も少なくなる。
【発明を実施するための最良の形態】
【００１１】
本発明の実施の形態について説明する。図１〜図８、までを参照して本発明の実施形態を示す。図１は、車椅子の各分割寝台フレームがベッド上に入った本実施形態の側面図である。図２は、各々分割フレームの右組替え、左組替えの、平面図となっている。図３は、車椅子が、ベッド上に入った状態を示す断面図である。又、図４は車椅子の操作方法を示す立面図。図５は車椅子の正面図である。図６ＡＢＣは、ベッド上から被・要介護者を車椅子に乗せるまでの動作図である。図７ＡＢは、車椅子上の被・要介護者を、介護人が移動しようとする正面と立面図。図８ＡＢは、車椅子上で、被・要介護者が簡易便器の使用形態を示す図である。
【００１２】
上記において、図３に示すように当該ベースフレーム１１は、略コの字型形状で片持加重を受けるため肉厚鋼材等で形成され十分加重に耐えうる構造になっている。ベースフレーム下面４隅にはキャスター１２が設けられている。又、この車椅子は図１と図３で示すように下面のベースフレームが、床面から８０ミリ以下で形成されているので、近年のベッドに対応が出来るようになっている。又、不使用時にはコンパクトに折畳んで保管できる車椅子。
【実施例１】
【００１３】
図１の、１と２において１は台車でベースフレーム１１及び当該フレーム１１の、下面４隅に設けたキャスター１２によって形成されている。２は、ベースフレーム１１の上面に設けた、該分割寝台フレームで、座部フレーム２１に結合支点２７を回動中心として長手外側に傾斜出来る、背部フレーム、２２ａ・２３・２４脚部フレーム２２ｂと、このフレーム内には差込フレーム２３・２４を備えている。各々フレームは結合支点２７、によって形状された構成となっている。各分割寝台フレーム上面には寝台マット２８の、各々が一体的に取り付けられていると共に、各分割寝台フレーム２２a・２２ｂにはガスダンパー１４・ガスダンパー１５を備え、前記ガスダンパーを起動させるレバー１３が取り付けられている。
【実施例２】
【００１４】
図２Ａ・Ｂは、該分割寝台フレームで各々が一体化に形成され、ハンドル２６ａ・２６ｂ、手摺３ａ・３ｂフレーム内の３１ａ各々はマット用下地受材である。又、座部フレーム２１より両サイドの脚部フレーム２５と頭側背部フレーム２２a２２ｂ・２３・２４を結合支点２７によって連結されている。脚部フレーム２２ａ背部フレーム２２ｂにはガスダンパー１４・１５の取付けがあり、背部フレーム２３には引き手３２など設けている。
【実施例３】
【００１５】
図３は、本体ベッドの昇降機能を利用し、被・要介護者を車椅子の各分割寝台フレーム上への移動が容易ですむ。又、昨今の介護用ベッドの脚Ｘ−１に対し、横架材Ｙ−１の下端が床面より８０ミリなので、下面の当該ベースフレーム１１を８０ミリ以下の構造としている。
【実施例４】
【００１６】
図４は、該車椅子の操作方法を示す図で各分割寝台フレームの頭側背部フレーム２２b・２３・２４をガスダンパー１４で起こすためレバー１３を踏み、背部フレーム２３に取り付けた引き手３２を持ち、ベッド上で起こし、次にベッド上から車椅子を外しながら脚部フレーム２２a・２８b・足掛フレーム２５を、前記ガスダンパー１５でゆっくり下げる。次に、ハンドル２６a・２６ｂを起こしハンドル止ネジ３０を締め、なおこの時点で頭部フレーム２４は外してもかまわない最後にキャスター１２のストップも緩め、介護用の前記車椅子となる。同図４での点線は対称側に組起した図である。
【実施例５】
【００１７】
図５は、車椅子の正面図で、キャスター１２と略コの字形当該ベースフレーム１１の上面に各分割寝台フレームがある。頭側背部フレーム２２b・２３・２４と各々のマット２８ａ・２８ｂ・２８ｃ・２８ｄがある。手摺３ａ・３ｂ脚部フレーム２２ａマット２８ｂと足掛フレーム２５各々の止ネジ２９ａ・２９ｂ・２９ｃ、脚部ガスダンパー１５、ハンドル２６ａ・２６ｂ、レバー１３と引き手３２、フレーム結合支点２７などが見える。
【実施例６】
【００１８】
図６は被・要介護者をベッド上から車椅子に移るまでを示した動作図である。
【実施例７】
【００１９】
同図Ａは、車椅子の分割寝台フレームをベッドＢ上に乗せて、被・要介護者Ａを横臥せから各分割寝台マット上２８ａ・２８ｂ・２８ｃ・２８ｄへ仰向けにした図である。
【実施例８】
【００２０】
同図Ｂは、被・要介護者Ａを車椅子の各分割寝台フレーム上に仰向きに乗せて、両サイドの手摺３ａ・３ｂを取付け、止ネジ２９ａ・２９ｂを締め、前記被・要介護者の上体を起こす前の状態である。
【実施例９】
【００２１】
同図Ｃは、被・要介護者ＡをベッドＢ上で頭側背部のみを起きた体勢にする。脚部・足掛フレームはベッドＢ上では水平で車椅子をベッドから引き出してから脚部・足掛側をゆっくりと下ろし車椅子になり移動可能となる。
【実施例１０】
【００２２】
図７Ａは、ベッドＢから離れて、車椅子に被・要介護者Ａが乗った状態の図である。
【実施例１１】
【００２３】
同図Ｂは、介護人Ｃが被・要介護者Ａを車椅子に乗せて、移動する図である。
【実施例１２】
【００２４】
図８のＡは、車椅子に簡易型の便器をセットし上面から覗いた図である。なお、簡易型の便器は前記車椅子の下面ベースフレーム１１の枠内に納まる製品があり、これにより被・要介護者は容易に排便が行えるのである。
【実施例１３】
【００２５】
同図Ｂは、上述の被・要介護者Ａが車椅子に座った状態の使用図である。
【産業上の利用可能性】
【００２６】
本発明は、病院・介護施設・一般在宅介護等にも用途を持った車椅子で、老人・病人・身体に障害を持つ人がベッドからの乗降が楽に行え上述したような構成を備え持った車椅子。
【図面の簡単な説明】
【００２７】
【図１】車椅子の実施方法を示した説明図である。（実施例１）
【００２８】
【図２】車椅子の実施方法を示した説明図である。（実施例２）
【００２９】
【図３】車椅子の実施方法を示した説明図である。（実施例３）
【００３０】
【図４】車椅子の実施方法を示した説明図である。（実施例４）
【００３１】
【図５】車椅子の実施方法を示した説明図である。（実施例５）
【００３２】
【図６】車椅子の実施方法を示した説明図である。（実施例６，７，８，９）
【００３３】
【図７】車椅子の実施方法を示した説明図である。（実施例１０，１１）
【００３４】
【図８】車椅子の実施方法を示した説明図である。（実施例１２，１３）
【００３５】
【図９】は参考文献１特開2001-314455の参考図
【００３６】
【図１０】は参考文献２特開2002-136549の参考図
【符号の説明】
【００３７】
１１    ベースフレーム（台車）
１２    キャスター（車輪）
１３    レバー
１４    ガスダンパー
１５    ガスダンパー
１６    レバー止め
１７    レバー支点
２１    座部フレーム
２２    背部・脚部フレーム
２３    背部（差し込み式）
２４    頭部フレーム
２５    足掛フレーム
２６    ａ・ｂハンドル
２７    結合支点
２８    ａ・ｂ・ｃ・ｄ各々寝台マット
２９    ａ・ｂ手摺止めネジ
３０    ハンドル止ネジ
３１ａ  各々マット受け板
３２    引き手
３a・３b    手摺
Ａ      被・要介護者
Ｂ      ベッド
Ｃ      介護人
Ｘ−１  ベッド脚
Ｙ−１  脚受横架材
図９    従来の実施例を示す斜視図
図１０  従来の実施例を展開した状態図
【図１】
2005237516.tif 000003
【図２】
2005237516.tif 000004
【図３】
2005237516.tif 000005
【図４】
2005237516.tif 000006
【図５】
2005237516.tif 000007
【図６】
2005237516.tif 000008
【図７】
2005237516.tif 000009
【図８】
2005237516.tif 000010
【図９】
2005237516.tif 000011
【図１０】
2005237516.tif 000012